(57)【要約】      （修正有）【課題】スリムな構造をもちながら、簡単に操作でき、工場内に容易に運搬、設置できる編機を提供する。【解決手段】編機は、ノックオーバー手段８を有する編機１であって、ルームに固定された保持手段１５と、ノックオーバー手段８に関連して設けられ、前進位置においては、保持手段１５と係合し、ステッチを保持する際にノックオーバー手段８によって発生する力を、ルームに解放し、後退位置においては、保持手段１５との係合を解除できる、解放手段１９をさらに有する。【選択図】        図４
2007146360.tif 000002
【特許請求の範囲】
【請求項１】
一つのルームと、
前記ルームに接続される少なくとも一つのニードルベッド（３）と、
前記ニードルベッド（３）を移動する複数の針（４）と、
前記針（４）に編み糸を供給し、新しいステッチを形成する手段と、
前記ニードルベッド（３）上において前記針（４）と協同し、
前記針（４）が、前記ニードルベッド（３）において上昇する際に、
前進位置に移動し、前記ステッチを前記針（４）の柄（５）に留まらせるように動作し、
前記針（４）が、前記ニードルベッド（３）において下降する際に、
後退位置に移動し、前記ステッチに対して、前記留まらせる動作を行わない、ノックオーバー手段（８）と、
を有する編機（１）であって、
前記ルームに固定された保持手段（１５）と、
前記ノックオーバー手段（８）に関連して設けられ、
前記前進位置においては、前記保持手段（１５）と係合し、前記ステッチを保持する際に前記ノックオーバー手段（８）によって発生する力を、前記ルームに解放し、
前記後退位置においては、前記保持手段（１５）との係合を解除できる、
解放手段（１９）とをさらに有することを特徴とする編機。
【請求項２】
前記ノックオーバー手段（８）は、複数のノックオーバー素子（９）からなり、
前記複数のノックオーバー素子（９）は、ニードルベッド（３）上のいずれか一つの針（４）と協同して、前記ステッチを留まらせることを特徴とする、
請求項１に記載の編機。
【請求項３】
前記おのおののノックオーバー素子（９）が、前記後退位置において、
前記ステッチを保持するために、前記隣接する２つの針（４）の間の空間（１０）に適合することを特徴とする、
請求項２に記載の編機。
【請求項４】
前記ノックオーバー手段（８）は、
前記前進位置と前記後退位置を移動するために、
少なくとも一つのアーム（１２）によって、前記ルームに可動的に関連して設けられた棒（１１）をさらに有することを特徴とする、
請求項２または請求項３に記載の編機。
【請求項５】
前記ノックオーバー素子（９）は、前記棒（１１）に接続され、一体化していることを特徴とする、
請求項４に記載の編機。
【請求項６】
ノックオーバー手段（８）が、
前記ノックオーバー素子（９）を収納する、前記棒（１１）に接続され、一体化している複数の収納体（１３）と、
前記収納体（１３）と同数で、前記収納体（１３）に接続され、一体化しているノックオーバー素子（９）とをさらに有することを特徴とする、
請求項４に記載の編機。
【請求項７】
前記解放手段（１９）が、
前記前進位置で前記保持手段（１５）と係合でき、前記ノックオーバー素子（８）に関連して設けられ、一体化している少なくとも一つの係合要素（２０）を有することを特徴とする、
請求項１ないし請求項６のいずれかに記載の編機。
【請求項８】
少なくとも一つの係合要素（２０）が、少なくともひとつのアーム（１２）に関連して設けられていることを特徴とする、
請求項７に記載の編機。
【請求項９】
前記少なくとも一つの係合要素（２０）が、棒（１１）に関連して設けられていることを特徴とする、
請求項７に記載の編機。
【請求項１０】
前記少なくとも一つの係合要素（２０）が、前記少なくとも一つの収納体（１３）に関連して設けられていることを特徴とする、
請求項６に記載の編機。
【請求項１１】
各々がいずれか一つの前記収納体（１３）に関連して設けられている、複数の係合要素（２０）を有することを特徴とする、
請求項１０に記載の編機。
【請求項１２】
各々がいずれか一つの前記ノックオーバー素子（９）に関連して設けられ、
前記前進位置において、前記保持手段（１５）と係合し、
前記ステッチを、各々の針（４）に留まらせる際に、前記ノックオーバー手段（８）より発生する前記力を解放する、
前記係合要素（２０）を有することを特徴とする、
請求項７に記載の編機。
【請求項１３】
それぞれの前記ノックオーバー素子（９）は、それぞれの前記係合要素と一欠片で形成されていることを特徴とする、
請求項１２に記載の編機。
【請求項１４】
前記保持手段（１５）が固定要素（１６）を有することを特徴とする、
請求項１２に記載の編機。
【請求項１５】
前記係合要素（２０）が、
前記後退位置から、前記前進位置に移動した際に、前進位置においてシート（１７）の内側に入り、
前記前進位置から、前記後退位置に移動した際に、前記シート（１７）との係合が解除されることにより、
固定要素（１６）に設けられた、適切な前記シート（１７）に係合するように設計されたことを特徴とする、
請求項１４に記載の編機。
【請求項１６】
前記固定要素（１６）は、前記ニードルベッド（３）に関連して設けられていることを特徴とする、
請求項１４または請求項１５に記載の編機。
【請求項１７】
前記固定要素（１６）は、前記ニードルベッド（３）で作られていることを特徴とする、
請求項１４または請求項１５に記載の編機。
【請求項１８】
前記解放手段（１９）は、さらに、
前記前進位置において、前記係合要素（２０）が前記固定要素（１６）と予期しない係合解除を起こすことを防止するように設計された、
逸脱防止手段（２１）を有することを特徴とする、
請求項１ないし請求項１７のいずれかに記載の編機。
【請求項１９】
前記逸脱防止手段（２１）が、前記複数の係合要素（２０）に関連して設けられている横断棒（２２）を有することを特徴とする、
請求項１８に記載の編機。
【請求項２０】
前記逸脱防止手段（２１）が、前記係合要素（２０）の先端部分（２４）に関連して設けられている、折り曲げ部分を有することを特徴とする、
請求項１８に記載の編機。
【請求項２１】
２つの前記ニードルベッド（３）と、
前記２つのニードルベッド（３）のそれぞれに関連する、ノックオーバー手段（８）と、解放手段（１９）と、前記保持手段（１５）とを有することを特徴とする、
請求項１ないし請求項２０のいずれかに記載の編機。
【請求項２２】
さらに、前記ノックオーバー手段（８）と協同して、
前記針（４）が上昇する際に、前記編地の前記ステッチが、前記針（４）の前記柄に沿って上昇するのを防ぐために、
すでに形成された編地を引き下げる手段を有することを特徴とする
請求項１ないし請求項２１のいずれかに記載の編機。
【請求項２３】
請求項１ないし請求項２３のいずれかに記載の編機にに用いられる、
前記ステッチを保持する際に、前記ノックオーバー手段（８）によって発生した前記力を、前記保持手段（１５）に解放する手段（１９）を有することを特徴とする、
ノックオーバー手段。
【請求項２４】
請求項１ないし請求項２２のいずれかに記載の編機（１）で製造された編み製品。
【発明の詳細な説明】
【技術分野】
【０００１】
本発明は、多種の編み製品を製造するために用いられる、ラッセル編機として知られている、編機に関する。
【背景技術】
【０００２】
従来の編機の特徴として、形成された編地（ｆａｂｒｉｃ)は、形成された直後に、適切な引き下げ装置によって下方に引き下げられる。それに伴う摩擦力により、古いループは、針が新しい編み糸を取りに行こうとして上昇する際に、針と共に上昇することなく、下方位置に留まっている。そして、あるタイミングで針により引き出され、形成されたばかりの新しループに向かって、柄を離れる。
【０００３】
さらに引き下げ運動により、針に付いているループは、針がフックを閉じて編み糸を運びつつ下降した際に、針のラッチを回転することができる。それゆえに、古いステッチを引き出し、新しいループを作ることができる（ラッチニードルの場合）。
【０００４】
よく知られていることとして、引き下げ装置は少なくとも二つのローラーを有している。一つは圧力を保持するものと、もう一つは針の上昇運動に対抗する力を編地全体に及ぼすことにより、編地を引き下げるものである。一般的にローラーは、引き下げ中に編地を壊すことなく、かつ、編地全体に均一なトラクションがかかるように、ゴムなどによる平滑な表面を有している。
【０００５】
しかし、編地の先端は、たとえば針が下がってステッチが解放される瞬間などに、ぐいぐいと、一定速度でなく、形成されるにもかかわらず、ローラーは常時一定の速度で回転している。その結果として、編地は、全く新しいループが形成されていない時にも引き下げられる。このトラクションの不均衡は、部分的には編地の伸縮性によってバランスがとられる。しかし永久的な編地の変形を防ぐために、ローラーによって編地に与える圧力は、一定以上に強くできない。結果として、針が新しい編み糸をとるために上昇する時に、柄に巻き付いたループも上昇させようとするため、たとえローラーに巻き付いた編地の一部が、その伸縮性やローラー間を滑ることによって上方に引っ張られるとしても、ローラーによる引き下げは、針の上昇動作を妨げる。
【０００６】
この現象は編地を作る工程において非常に危険なものであり、編地の品質低下をもたらすのみならず、古いステッチを解放できない状態で新しいステッチを作ろうとすることにより、針の破壊を発生させる。
【０００７】
この問題を解消するために、一般的には編地の製造速度を厳しく制限する。それは、針が早く上昇するほど、多くの柄に付着したループが、柄をスライドするタイミングを合わせられなくなるからである。
【０００８】
また、この問題を解消するために、従来の編機は、針の間に入り、ステッチが許容範囲以上柄に沿って上昇しないように防止する働きをする、ノックオーバー素子をつけている。この素子は一般的に、ステッチコーム（ｓｔｉｔｃｈ−ｃｏｍｂ）と呼ばれ、下記の異なる二つの形態で適用されている。一つはラッチニードルと併せてルームに適用される場合と、他方は混合針と併せてルームに適用される場合である。ラッチニードルは、ラッチが針と一体となっており、ヒンジピンによりラッチが針の周りを回転する。それに対して、混合針は針とラッチが分離しており、個々に動く。
【０００９】
一般的に、編機は多くのノックオーバー素子と、それと同程度の針を有する。各々のノックオーバー素子は、ループのへりを捕らえて、それらが針とともに上昇するのを防止するために、ニードルベッドのノックオーバー面周辺、好ましくはノックオーバー面の若干上で動作する。針が回転の下方死点から出発して上昇を始めたときに、各々のノックオーバー素子は、針の柄にループを保つために前方に移動し、その後針が上昇を完了するまで、その場所に留まる。ノックオーバー素子は、その後、針が下降し新しいステッチを形成できるように、後方に移動する。
【００１０】
ステッチを下方に留まらせているときに、おのおののノックオーバー素子に働いている力は小さく、数百グラム重程度であり、その力の大きさは糸の種類や編み密度に依存する。
【００１１】
一般的にノックオーバー素子は棒の上に設置され（シングルニードルベッド機の場合は１つの棒、ダブルニードルベッド機の場合は２つの棒）、その棒は、編機のフレームからたとえば２本のアームによって、可動できる状態で固定されている。
【００１２】
しかし従来技術にはいくつかの問題点がある。
【００１３】
一個のニードルベッドに対して３０００を超える針をそなえる編機は、３.５メートルを超える棒に針が並べられており、一斉に動くため、棒が運んでいる３０００を超えるノックオーバー素子上で、ループが形成されることによる摩擦力が、あるタイミングで解放される。その結果、ノックオーバー素子を支える棒に解放される力の和は、一つの素子にかかる力を、同時に動いている針の数の回数足したものとなり、時には数百キログラム重を超える、大きな値となる。結果として、ノックオーバー素子を運ぶ棒は、このような激しい力に耐えうるように、非常に強くしておかなければならない。
【００１４】
また、ループの上昇を妨げるために発生する曲げ力に対して、ノックオーバー素子を支える棒が耐えるために、０．５メートル間隔でレバーアームが並べられており、編機のコストを上昇させ、機構を複雑にしている。たとえば、シングルニードルベッドの場合３．５メートルの棒に８本のアームが取り付けられ、ダブルニードルベッドの場合は１６本にもなる。
このようにノックオーバー素子を運ぶ棒が巨大であると、これらを支え、一定のスピードで素子を動かすために、編機は頑丈で重い構造でなければならない。そうすると、必然的に大きな慣性力を必要とするために、操作速度を一定以上に上げられない。それゆえに、この問題点は製造コストに悪影響があるだけでなく、編機の最終操作速度にも大きな不利益をもたらす。
【００１５】
その他に、この問題を解決する方法として、編地が耐えられる限界まで、編地を引き下げるローラーの圧力と速度を調整する方法が知られている。ただし、この方法は、編地の破れや永久的な変形を発生させる危険を有している。
【発明の開示】
【発明が解決しようとする課題】
【００１６】
この発明の目的は、上記のような不利益のない編機を提案し、先行技術中の問題点を解決することにある。特に、本願発明の目的は、スリムな構造をもちながら、簡単に操作でき、工場内に容易に運搬、設置できる編機を提案することである。結果として、本発明では、多くの部品に働く力を低減し、小型で耐久性に優れた編機を提案することである。さらには、簡単に、しかも安価に製造できる編機を提案することである。そのほかに、引き下げ機構と共同し、編地にダメージが発生する限界で操作しなくてもよい、ノックオーバー素子を有する編機を提案することである。さらには、均一で、コンパクトで異常な引き延ばしのない、高品質な編地を提供することにある。最終的な目的は、高速で可動する、生産性の高い編機を提供することにある。
【課題を解決するための手段】
【００１７】
上記目的を達成するために、本発明に係る編機は、
一つのルーム（ｌｏｏｍ）と、
前記ルームに接続される少なくとも一つのニードルベッド（３）と、
前記ニードルベッド（３）を移動する複数の針（４）と、
前記針（４）に編み糸を供給し、新しいステッチを形成する手段と、
前記ニードルベッド（３）上において前記針（４）と協同し、
前記針（４）が、前記ニードルベッド（３）において上昇する際に、
前進位置に移動し、前記ステッチを前記針（４）の柄（５）に留まらせるように動作し、
前記針（４）が、前記ニードルベッド（３）において下降する際に、
後退位置に移動し、前記ステッチに対して、前記留まらせる動作を行わない、ノックオーバー手段（８）と、
を有する編機（１）であって、
前記ルームに固定された保持手段（１５）と、
前記ノックオーバー手段（８）に関連して設けられ、
前記前進位置においては、前記保持手段（１５）と係合し、前記ステッチを保持する際に前記ノックオーバー手段（８）によって発生する力を、前記ルームに解放し、
前記後退位置においては、前記保持手段（１５）との係合を解除できる、
解放手段（１９）とをさらに有することを特徴とする。
【００１８】
好ましくは、前記ノックオーバー手段（８）は、複数のノックオーバー素子（９）からなり、
前記複数のノックオーバー素子（９）は、ニードルベッド（３）上のいずれか一つの針（４）と協同して、前記ステッチを留まらせることを特徴とする。
【００１９】
好ましくは、前記おのおののノックオーバー素子（９）が、前記後退位置において、
前記ステッチを保持ために、前記隣接する２つの針（４）の間の空間（１０）に適合することを特徴とする。
【００２０】
好ましくは、前記ノックオーバー手段（８）は、
前記前進位置と前記後退位置を移動するために、
少なくとも一つのアーム（１２）によって、前記機に可動的に関連して設けられた棒（１１）をさらに有することを特徴とする。
【００２１】
好ましくは、前記ノックオーバー素子（９）は、前記棒（１１）に接続され、一体化していることを特徴とする。
【００２２】
好ましくは、ノックオーバー手段（８）が、
前記ノックオーバー素子（９）を収納する、前記棒（１１）に接続され、一体化している複数の収納体（１３）と、
前記収納体（１３）と同数で、前記収納体（１３）に接続され、一体化しているノックオーバー素子（９）とをさらに有することを特徴とする。
【００２３】
好ましくは、前記解放手段（１９）が、
前記前進位置で前記保持手段（１５）と係合でき、前記ノックオーバー素子（８）に関連して設けられ、一体化している少なくとも一つの係合要素（２０）を有することを特徴とする。
【００２４】
好ましくは、少なくとも一つの係合要素（２０）が、少なくともひとつのアーム（１２）に関連して設けられていることを特徴とする。
【００２５】
好ましくは、前記少なくとも一つの係合要素（２０）が、棒（１１）に関連して設けられていることを特徴とする。
【００２６】
好ましくは、前記少なくとも一つの係合要素（２０）が、前記少なくとも一つの収納体（１３）に関連して設けられていることを特徴とする。
【００２７】
好ましくは、各々がいずれか一つの前記収納体（１３）に関連して設けられている、複数の係合要素（２０）を有することを特徴とする。
【００２８】
好ましくは、各々がいずれか一つの前記ノックオーバー素子（９）に関連して設けられ、
前記前進位置において、前記保持手段（１５）と係合し、
前記ステッチを、各々の針（４）に留まらせる際に、前記ノックオーバー手段（８）より発生する前記力を解放する、
前記係合要素（２０）を有することを特徴とする。
【００２９】
好ましくは、それぞれの前記ノックオーバー素子（９）は、それぞれの前記係合要素と一欠片で形成されていることを特徴とする。
【００３０】
好ましくは、前記保持手段（１５）が一つの固定要素（１６）を有することを特徴とする。
【００３１】
好ましくは、前記係合要素（２０）が、
前記後退位置から、前記前進位置に移動した際に、前進位置においてシート（１７）の内側に入り、
前記前進位置から、前記後退位置に移動した際に、前記シート（１７）との係合が解除されることにより、
固定要素（１６）に設けられた、適切な前記シート（１７）に係合するように設計されたことを特徴とする。
【００３２】
好ましくは、前記固定要素（１６）は、前記ニードルベッド（３）に関連して設けられていることを特徴とする。
【００３３】
好ましくは、前記固定要素（１６）は、前記ニードルベッド（３）で作られていることを特徴とする。
【００３４】
好ましくは、前記解放手段（１９）は、さらに、
前記前進位置において、前記係合要素（２０）が前記固定要素（１６）と予期しない係合解除を起こすことを防止するように設計された、
逸脱防止手段（２１）を有することを特徴とする。
【００３５】
好ましくは、前記逸脱防止手段（２１）が、前記複数の係合要素（２０）に関連して設けられている、横断棒（２２）を有することを特徴とする。
【００３６】
好ましくは、前記逸脱防止手段（２１）が、前記係合要素（２０）の先端部分（２４）に関連して設けられている、折り曲げ部分を有することを特徴とする。
【００３７】
好ましくは、２つの前記ニードルベッド（３）と、
前記２つのニードルベッド（３）のそれぞれに関連する、ノックオーバー手段（８）と、解放手段（１９）と、前記保持手段（１５）とを有することを特徴とする。
【００３８】
好ましくは、さらに、前記ノックオーバー手段（８）と協同して、
前記針（４）が上昇する際に、前記編地の前記ステッチが、前記針（４）の前記柄に沿って上昇するのを防ぐために、
すでに形成された編地を引き下げる手段を有することを特徴とする。
【発明を実施するための最良の形態】
【００３９】
以下、本発明を、図面に示す実施形態に基づき説明する。
図１は本発明の一実施形態に係る編機のニードルベッドにおける、ノックオーバー手段と解放手段の等角投影図、
図２は、図１の編機の一実施形態に係る、ノックオーバー素子と係合要素の等角投影図、
図３は、図１の編機の一実施形態に係る、ノックオーバー手段と解放手段の正面図、
図４は、図３のＩＶ−ＩＶ線断面における、ノックオーバー素子と解放手段の異なる２つの操作位置を表した、編機の断面図、
図５は、図１のダブルニードルベッド編機に関するニードルベッドの一実施形態に係る、ノックオーバー素子を運ぶ棒の等角投影図、
図５ａは、図５の拡大詳細図、
図６は、図１のダブルニードルベッド編機に関するニードルベッドの一実施形態に係る、ノックオーバー素子を運ぶ棒の側面図、
図６ａは、図６の拡大詳細図、
図７は、本発明に係る編機に係る解放手段の一実施形態に係る、ノックオーバー素子の収納体の等角投影図、
図８は、本発明の編機の他の実施形態に係る、ノックオーバー手段と解放手段と、逸脱防止手段との等角投影図、
図９ａ、９ｂは本発明の編機に関する、さらに他の実施形態に係る、ノックオーバー手段と解放手段と、逸脱防止手段との等角投影図である。
第１実施形態
【００４０】
前記図面の解説に示したように、発明に係る編機１は一つのルーム（ｌｏｏｍ）と、ルームに係る少なくとも一つのニードルベッド３と、ニードルベッド３を移動する複数の針４と、ニードルベッド３上で針４と協同する複数のノックオーバー手段８を含む。図４に示すように、前記手段８は、針４が ニードルベッド３で上昇した際に、前進位置に移動することができ、前述の針４の柄５にステッチが留まるように働く。そして前記針４が下降している際に、ノックオーバー手段は後退位置にあり、ステッチに対してはなんの働きもしない（図中では、ノックオーバー手段８とニードルベッド３の間にあるステッチは表示していない）。
【００４１】
発明に係る編機１は、さらに、ルームに固定された保持手段１５と 、ノックオーバー手段８に付随する解放手段１９を有する。前記解放手段１９は、前進位置に移動した際に、保持手段１５とかみ合い、ステッチを柄５に保持している間にノックオーバー手段８が発生する力を、ルームのなかに解放する。そして、解放手段１９が、後退位置に運ばれる際には、前記の保持手段１５とのかみ合わせが外れる。
【００４２】
図１に示すように、ノックオーバー手段８は、多くのノックオーバー素子９からなり、その一つ一つは、ニードルベッド３において、編機１の針４のうちの一つと協同するように配置されている。そしてノックオーバー素子９は、ノックオーバー面の上で、 針４が上昇した際に、針４の柄５にステッチを保持する役割を果たす。特に、それぞれのノックオーバー素子は、前方に移動した際に、隣接した二つの針４の間の空間１０に適合する。結果として、編機１は、従来機とくらべて、ほぼ同数のノックオーバー素子９を針４に対して有している。
【００４３】
発明の好ましい具体例として、ノックオーバー手段８は、さらに、ノックオーバー素子９を収納するための複数の収納体１３を含むものであってもよい（図５ａおよび図７)。それぞれの収納体１３は、対応する精度で、可能な限り多くのノックオーバー素子９を含む。たとえば、精度１６を持つ収納体１３は、１インチ中に１６個のノックオーバー素子９を含むことになる。さらに、製造中に融着されることにより、ノックオーバー素子９は対応する収納体１３と一体化される。
【００４４】
さらに好適な具体例として、ノックオーバー素子８は、少なくとも一つのアーム１２によって、ルームに対して可動的にとりつけられた棒１１を有し、 さらに、前後に位置を移動するために、それらは、（図示していない）少なくとも一つの電動モーターと、モーターからの動きをアーム１２に伝える伝達手段を有する。さらに好ましくは、図５または図５ａに示すように、それぞれの棒１１は、二つのアーム１２に、前記棒１１の後部１４を固定することにより、取り付けられている。
【００４５】
この場合、それぞれの収納体１３は、棒１１に完全に接続され、隣もしくは両隣と接続されているため、ノックオーバー素子９は、お互いに平行に設置される。結果として、ノックオーバー素子９も棒１１に対して、完全に一体となる。
【００４６】
他の具体例として、ノックオーバー素子９を、ハウジング１３を介さず、棒１１に対して直接固定することもできる。
【００４７】
本発明においては、解放手段１９は、少なくとも一つの係合要素２０を有し、係合要素２０は、ノックオーバー手段８と連続一体化しており、前進位置において保持手段１５とかみ合う。
【００４８】
保持手段１５は、固定要素１６を有し、固定要素はシート１７を有する。係合要素２０が後方から前方へ移動することにより、係合要素２０はシート１７の内側に入り、針４が上昇をやめるまで、その中に留まる。そして前方から後方に移動する間に、かみ合いを解除する。
【００４９】
発明の好ましい具体例に係る編機１は、複数の係合要素２０を有し、それぞれの係合要素２０はノックオーバー素子９と繋がっており、前進位置で保持手段１５とかみ合う。より詳細には、それぞれの係合要素２０は、それぞれのノックオーバー素子９と一欠片として構成され、一体となった形としてみられる。しかしながら、それは２つの部分からなる。ひとつめの部分は、棒１１が前進位置にある際に、おおよそノックオーバー面上にあって、針に対してステッチを保持するように働く、第１の細長い部分である。ふたつめの部分は、第一部分の下方の適切な位置にあって、係合要素２０として働き、対応するステッチを保持する間にノックオーバー素子が発生する力を、ルームにある固定要素１６に解放する、第２の細長い部分である。固定要素１６に設けられたシート１７における、係合要素２０と接触する部分は、係合要素２０からの押し上げ力を吸収する反応面１８を表している。すなわち、ステッチが針４と共に上昇しようするために発生する力を、例えば、針一本ごとに、分散してルームの上に解放することを可能にしている。発明は、上記に示された実施例とは異なる、多くの実施態様を含む。すなわち、編機１は、少なくとも一つのアーム１２、好ましくは両方のアームに係合要素２０を接続することも可能である。
第２実施形態
【００５０】
対して、第２の実施形態として、係合要素２０を棒１１に接続することもできる。たとえば、前記棒１１の横軸方向の延長部分の少なくとも一部分と接続し、前記横軸方向の延長部分が、固定要素１６とかみ合うように設計することができる。または、棒１１は、固定要素１６とかみ合うように、あらかじめ決められた距離に横方向に延長配置された複数の係合要素２０を有することができる。
【００５１】
さらに、係合要素２０は、少なくとも一つ、好ましくは各々についての収納体１３を含む。さらに、係合要素２０は、収納体１３に接続され、横軸方向に延長された、図７に示されたような棒であってもよい、また、あらかじめ指定された距離に横軸方向に並べられた一連の係合要素２０であってもよい。これらの係合要素２０の実施のバリエーションは、しかしながら、それぞれの針４に対応する固定要素１６に対して、均一に力を解放することができないため、前記の例より効率的とはいえない。
【００５２】
好都合にも、固定要素１６は、ニードルベッド３によって、ルームにつなげることができる。特に、固定要素１６がニードルベッド３そのもので形成されているものは、発明の好適な実施例といえる。好ましくは、前記ニードルベッド３は、その前面３aに、一つの横長のシート１７か、針の数に対応した横並びの複数のシート１７を、図１から図３に示すように、係合要素２０が挿入できるように設けることができる。
ニードルベッド３は、それが耐えうる応力に対して適切な余裕をもたせているため、前記シート１７を付加することにより、脆弱になることはない。
【００５３】
係合要素２０と、それに対応し、固定要素１６上に作られるシート１７は、ノックオーバー手段８上に働く力を固定要素１６上に解放するために適切な２つの要素の組み合わせであればよく、後述するように多くの形態をとることができる。
第３実施形態
【００５４】
係合要素２０が、前進位置において、収納体１３に対してしっかりと固定されているにもかかわらず、応力によって、固定要素１６に形成されたシート１７から横に向かってそれるか、不意に外れることを防止するために、解放手段１９は、さらに、逸脱防止手段２１を持つことができる。前記手段２１は、たとえば、図８に示すような、係合要素２０に付属する横軸棒２２や、図９ａや９bに示されるように、係合要素２０の先端延長部を折り曲げることにより、そのものの先端部分に形成されているものを含む。
【００５５】
実際、図５と図５ａとに示すように、編機１は係合要素２０を有するノックオーバー素子８を運ぶようにデザインされた２つの棒１１を有し、それぞれが、２つのニードルベッド３のいずれかに対応している。
【００５６】
公知の編機と同じように、本発明に係る編機１は、新しい編み目を形成するために、糸を針に供給する手段を含み、これは、針４の周りを包み込むように動き、ニードル４のフック６に編み糸を供給し、以前に形成されたループに編み込む、ヤーンガイド（ｙａｒｎ  ｇｕｉｄｅ）として知られる、多くの編み糸搬送要素を含んでる（特徴は図示しない）。
【００５７】
さらに、編機１はすでに形成された編地を引き下げる手段を含む。この手段は、ノックオーバー手段と協同して、前記針４が上昇する際に、前記編地のステッチが、針４の柄５に沿って上昇していくのを防いでる。前記引き下げ手段は少なくとも２つ、好ましくは３つのローラーを含み、すでに形成された編地に、おおよそ均一な圧力を与えるように設計されている。
【００５８】
さらには、編機１は停止手段を含んでもよい。停止手段は、多くの針４の上を動いて、針が持ち上がった際に、対応するラッチが意図しない閉じをするのを避け、フック６に新しい編み糸が供給されるのを防ぐものである。
【００５９】
理解された発明は、いくつかの変更やバリエーションを有しているが、それらはすべて発明の枠内に含まれるものである。
【００６０】
たとえば、あらゆる物質や大きさを、必要に応じて採用することができる。
【００６１】
さらに、すべての詳細部分は、技術的に同等な要素に置き換えることができる。
【００６２】
本発明は重要な効果を有する。
【００６３】
本発明に係る編機において、針が上昇する際に、ニードルベッドに対して、ステッチを概ね同じ高さに保つときに発生する摩擦力は、ニードルベッドもしくはルームの中の固定要素に解放される。発明に係る好ましい実施形態においては、すべての一本一本の針にかかる前記力を、個別に、そして基本的にニードルベッド全体において単一の方法で解放する。それゆえに、ノックオーバー素子と係合要素を運ぶ棒は、ただそれら要素を運ぶ荷重に耐えうるだけでよく、必然的に棒を曲げようとする上方向の応力に対して耐える必要はない。本発明は、編機の機械構造における著しい負荷軽減、 編み物の生産性の向上、システムの安定、編機の全体的速度の増加（単位時間あたりのショット数）と、引き下げ操作の安全性向上等の効果を有する。事実、たとえば、ノックオーバー素子と係合要素は、必要強度と全体の大きさを減少させることができた。また、製造コストの低下、部品重量の低下がもたらす慣性力の低下による製造速度の上昇、 工場間の輸送の簡易化といった利益をもたらす。さらに、ノックオーバー素子や係合要素を運ぶ棒が、低応力下で使用されることにより、ノックオーバー手段８や解放手段を構成する部品の寿命が延長する。
【００６４】
さらに、開示された発明は、針と一緒にステッチが上昇することを効果的に防止するシステムを確立し、針が壊れる危険性を大きく低減し、引き下げ手段をその限界で操作する必要がなくなった。本発明は、製造された編地の品質を保ち、特に異常な引っ張りやねじり等による編地の欠陥が発生しないようにできる。
【図面の簡単な説明】
【００６５】
【図１】本発明の一実施形態に係る編機のニードルベッドにおける、ノックオーバー手段と解放手段の等角投影図である。
【図２】図１の編機の一実施形態に係る、ノックオーバー素子と係合要素の等角投影図である。
【図３】図１の編機の一実施形態に係る、ノックオーバー手段と解放手段の正面図である。
【図４】図３のＩＶ−ＩＶ線断面における、ノックオーバー素子と解放手段の異なる２つの操作位置を表した、編機の断面図である。
【図５】図１のダブルニードルベッド編機に関するニードルベッドの一実施形態に係る、ノックオーバー素子を運ぶ棒の等角投影図である。
【図５ａ】図５の拡大詳細図である。
【図６】図１のダブルニードルベッド編機に関するニードルベッドの一実施形態に係る、ノックオーバー素子を運ぶ棒の側面図である。
【図６ａ】図６の拡大詳細図である。
【図７】本発明に係る編機に係る解放手段の一実施形態に係る、ノックオーバー素子の収納体の等角投影図である。
【図８】本発明の編機の他の実施形態に係る、ノックオーバー手段と、解放手段と、逸脱防止手段との等角投影図である。
【図９ａ】本発明の編機に関するさらに他の実施形態に係る、ノックオーバー手段と、解放手段と、逸脱防止手段との等角投影図である。
【図９ｂ】本発明の編機に関するさらに他の実施形態に係る、ノックオーバー手段と、解放手段と、逸脱防止手段との等角投影図である。
【符号の説明】
【００６６】
３…ニードルベッド
４…針
８…ノックオーバー手段
９…ノックオーバー素子
１５…保持手段
１６…固定要素
１７…シート
１９…解放手段
２０…係合要素
【図１】
2007146360.tif 000003
【図２】
2007146360.tif 000004
【図３】
2007146360.tif 000005
【図４】
2007146360.tif 000006
【図５】
2007146360.tif 000007
【図５ａ】
2007146360.tif 000008
【図６】
2007146360.tif 000009
【図６ａ】
2007146360.tif 000010
【図７】
2007146360.tif 000011
【図８】
2007146360.tif 000012
【図９ａ】
2007146360.tif 000013
【図９ｂ】
2007146360.tif 000014